(57)【要約】【課題】前段の電子機器に、後段側の電子機器の受像可能解像度を考慮した受像可能解像度情報を供給する。【解決手段】テレビ受信機１４０は、リピータ機能を持ち、受像可能解像度情報を記憶しているフラッシュＲＯＭ１４３を持つ。テレビ受信機１６０は、受像可能解像度情報を記憶しているフラッシュＲＯＭ１６２を持つ。テレビ受信機１４０は、システム構成時に、ＲＯＭ１４３の受像可能解像度情報を、テレビ受信機１４０，１６０の受像可能解像度のうち最も低い解像度を示すように書き替える。ＤＶＤレコーダ１２０は、ＲＯＭ１４３から読み出したＥＤＩＤ情報を解析し、テレビ受信機１４０，１６０の受像可能解像度のうち最も低い解像度を認識する。ＤＶＤレコーダ１２０は、テレビ受信機１４０側に送信する画像データの解像度を、上述のように認識した解像度に合わせる。そのため、テレビ受信機１４０，１６０の双方で受像が可能となる。【選択図】図１
2009055149.tif 000002
【特許請求の範囲】
【請求項１】
第１の伝送路を介して接続された前段の電子機器から送られてくる映像信号を受信する信号受信部と、
第２の伝送路を介して接続された後段の電子機器に、上記信号受信部で受信された映像信号を送信する信号送信部と、
上記前段の電子機器が上記第１の伝送路を介して取得するための受像可能解像度の情報を記憶する記憶部と、
上記後段の電子機器から上記第２の伝送路を介して受像可能解像度の情報を取得する情報取得部と、
上記情報取得部で取得された受像可能解像度の情報に基づいて、上記記憶部に記憶されている受像可能解像度の情報を書き替える情報書き替え部と
を備えることを特徴とする電子機器。
【請求項２】
上記信号受信部は、上記前段の電子機器から、複数チャネルで、差動信号により、上記第１の伝送路を介して送られてくる映像信号を受信し、
上記信号送信部は、上記後段の電子機器に、上記信号受信部で受信された映像信号を、複数チャネルで、差動信号により、上記第２の伝送路を介して送信する
ことを特徴とする請求項１に記載の電子機器。
【請求項３】
放送信号に基づいて所定の番組の映像信号を取得する放送受信部と、
上記放送受信部で取得された映像信号または上記信号受信部で受信された映像信号を選択的に出力する切り替え部と、
上記切り替え部から出力される映像信号による画像を表示する画像表示部とをさらに備える
ことを特徴とする請求項１に記載の電子機器。
【請求項４】
上記第１の伝送路を介して接続された上記前段の電子機器に供給する、接続を示す信号を発生する信号発生部と、
上記情報書き替え部が上記記憶部に記憶されている受像可能解像度の情報を書き替えるとき、上記信号発生部における上記接続を示す信号の発生を一時的に停止する制御部とをさらに備える
ことを特徴とする請求項１に記載の電子機器。
【請求項５】
上記情報書き替え部は、上記情報取得部で取得された受像可能解像度の情報で示される第１の解像度が、上記記憶部に記憶されている受像可能解像度の情報で示される第２の解像度よりも低いとき、上記記憶部に記憶されている受像可能解像度の情報を、上記第１の解像度を示すように書き替える
ことを特徴とする請求項１に記載の電子機器。
【請求項６】
上記情報書き替え部は、上記記憶部に記憶されている受像可能解像度の情報を、上記情報取得部で取得された受像可能解像度の情報で示される解像度を示すように書き替える
ことを特徴とする請求項１に記載の電子機器。
【請求項７】
上記後段の電子機器が複数であるとき、
上記情報取得部は、上記複数の電子機器から上記第２の伝送路を介して受像可能解像度の情報を取得し、
上記情報書き替え部は、上記情報取得部で取得された複数の受像可能解像度の情報に基づいて、上記記憶部に記憶されている受像可能解像度の情報を書き替える
ことを特徴とする請求項１に記載の電子機器。
【請求項８】
上記情報書き替え部は、上記情報取得部で取得された複数の受像可能解像度の情報で示される解像度のうち、最低解像度を示すように、上記記憶部に記憶されている受像可能解像度の情報を書き替える
ことを特徴とする請求項７に記載の電子機器。
【請求項９】
上記情報書き替え部は、上記情報取得部で取得された複数の受像可能解像度の情報で示される解像度のうち、最高解像度を示すように、上記記憶部に記憶されている受像可能解像度の情報を書き替える
ことを特徴とする請求項７に記載の電子機器。
【請求項１０】
上記情報書き替え部は、上記情報取得部で取得された複数の受像可能解像度の情報で示される解像度のうち、最低解像度と最高解像度との間の解像度を示すように、上記記憶部に記憶されている受像可能解像度の情報を書き替える
ことを特徴とする請求項７に記載の電子機器。
【発明の詳細な説明】
【技術分野】
【０００１】
この発明は、映像信号を中継する電子機器に関する。詳しくは、この発明は、記憶部に記憶されている前段の電子機器が取得するための受像可能解像度の情報を、後段の電子機器から取得した受像可能解像度の情報に基づいて書き替えることにより、前段の電子機器に後段側の電子機器の受像可能解像度を考慮した受像可能解像度情報の供給を可能とし、後段側の電子機器における画像表示が良好に行われるようにした電子機器に係るものである。
【背景技術】
【０００２】
近年、例えば、ＤＶＤ(Digital Versatile Disc)レコーダや、セットトップボックス、その他のＡＶソース（Audio Visual source）から、テレビジョン受像機、プロジェクタ、その他のディスプレイに対して、デジタル映像信号、すなわち、非圧縮（ベースバンド）の映像信号（以下、「画像データ」という）と、その映像信号に付随するデジタル音声信号（以下、「音声データ」という）とを、高速に伝送する通信インタフェースとして、ＨＤＭＩ(High Definition Multimedia Interface)が普及しつつある（例えば、特許文献１参照）。この場合、ＡＶソースは、ディスプレイからＥＤＩＤ(Enhanced-Extended Display Identification)情報を取得し、当該ＥＤＩＤ情報に含まれる受像可能解像度の情報に基づき、ディスプレイの受像可能解像度に対応した解像度の映像信号をディスプレイに出力できる。
【０００３】
ＨＤＭＩ規格では、ＡＶソースからの映像信号を、単一のあるいは複数のリピータとなる電子機器を介してディスプレイに伝送することも可能である（例えば、特許文献２参照）。例えば、リピータ機器として、リピータ機能を持つディスプレイ、例えばテレビ受信機も考えられる。この種のディスプレイを用いることにより、ＡＶソースの後段側に複数のディスプレイを直列接続したＡＶシステムを構成することが可能となる。
【特許文献１】特開２００６−３１９５０３号公報
【特許文献２】特開２００６−１８６５４４号公報
【発明の開示】
【発明が解決しようとする課題】
【０００４】
上述したＡＶソースの後段側に複数のディスプレイを直列接続したＡＶシステムにおいて、ＡＶソースは、直接接続されているディスプレイのＥＤＩＤ情報を取得し、当該ＥＤＩＤ情報に含まれる受像可能解像度の情報に基づいて、出力映像信号の解像度を如何にすべきか判断する。そのため、ＡＶソースに直接接続されていないディスプレイにあっては、ＡＶソースから出力される映像信号の解像度が当該ディスプレイの受像可能解像度よりも高くなることもあり、受像できなくなるおそれもある。
【０００５】
この発明の目的は、前段の電子機器に後段側の電子機器の受像可能解像度を考慮した受像可能解像度の情報を供給可能とし、後段側の電子機器おける画像表示が良好に行われるようにする、ことにある。
【課題を解決するための手段】
【０００６】
この発明の概念は、
第１の伝送路を介して接続された前段の電子機器から送られてくる映像信号を受信する信号受信部と、
第２の伝送路を介して接続された後段の電子機器に、上記信号受信部で受信された映像信号を送信する信号送信部と、
上記前段の電子機器が上記第１の伝送路を介して取得するための受像可能解像度の情報を記憶する記憶部と、
上記後段の電子機器から上記第２の伝送路を介して受像可能解像度の情報を取得する情報取得部と、
上記情報取得部で取得された受像可能解像度の情報に基づいて、上記記憶部に記憶されている受像可能解像度の情報を書き替える情報書き替え部と
を備えることを特徴とする電子機器にある。
【０００７】
この発明の電子機器は、リピータ機能を有している。つまり、第１の伝送路を介して接続された前段の電子機器から送られてくる映像信号が信号受信部により受信される。そして、この映像信号は、信号送信部により、第２の伝送路を介して接続された後段の電子機器に、送信される。
【０００８】
この発明の電子機器は、前段の電子機器および後段の電子機器に、例えば、ＨＤＭＩの通信インタフェースを用いて接続される。すなわち、信号受信部では、前段の電子機器から、複数チャネルで、差動信号により、第１の伝送路を介して送られてくる映像信号が受信される。また、信号送信部では、後段の電子機器に、信号受信部で受信された映像信号が、複数チャネルで、差動信号により、第２の伝送路を介して送信される。
【０００９】
後段の電子機器が接続されるとき、情報取得部により、当該後段の電子機器から第２の伝送路を介して受像可能解像度の情報が取得される。そして、情報書き替え部により、取得された受信解像度の情報に基づいて、記憶部に記憶されている受像可能解像度の情報が書き替えられる。
【００１０】
例えば、情報書き替え部では、情報取得部で取得された受像可能解像度の情報で示される第１の解像度が、記憶部に記憶されている受像可能解像度の情報で示される第２の解像度よりも低いとき、記憶部に記憶されている受像可能解像度の情報は、第１の解像度を示すように書き替えられる。また、例えば、情報書き替え部では、記憶部に記憶されている受像可能解像度の情報は、情報取得部で取得された受像可能解像度の情報で示される解像度を示すように書き替えられる。
【００１１】
このように後段の電子機器から取得した受像可能解像度の情報に基づいて記憶部に記憶されている受像可能解像度の情報を書き替えることにより、前段の電子機器に、後段側の電子機器の受像可能解像度を考慮した受像可能解像度の情報の供給が可能となり、後段側の電子機器おける画像表示が良好に行われるようになる。
【００１２】
また、この発明において、例えば、第１の伝送路を介して接続された前段の電子機器に供給する、接続を示す信号を発生する信号発生部と、情報書き替え部が記憶部に記憶されている受像可能解像度の情報を書き替えるとき、信号発生部における接続を示す信号の発生を一時的に停止する制御部とをさらに備える、ようにされてもよい。
【００１３】
第１の伝送路を介して接続された前段の電子機器は、当該接続時に、記憶部に記憶されている受像可能解像度の情報を取得する。上述したように、制御部により、信号発生部における接続を示す信号の発生が一時的に停止されることで、前段の電子機器の接続後に後段の電子機器が接続されて、記憶部に記憶されている受像可能解像度の情報の書き替えがあった場合、前段の電子機器は、記憶部から書き替えられた受像可能解像度の情報を取得することが可能となる。
【００１４】
また、この発明において、例えば、放送信号に基づいて所定の番組の映像信号を取得する放送受信部と、この放送受信部で取得された映像信号または信号受信部で受信された映像信号を選択的に出力する切り替え部と、この切り替え部から出力される映像信号による画像を表示する画像表示部とをさらに備える、ようにされてもよい。この場合、この発明の電子機器は、リピータ機能を有するテレビ受信機を構成する。
【００１５】
また、この発明において、後段の電子機器が複数であるとき、情報取得部は、複数の電子機器から第２の伝送路を介して受像可能解像度の情報を取得し、情報書き替え部は、情報取得部で取得された複数の受像可能解像度の情報に基づいて、記憶部に記憶されている受像可能解像度の情報を書き替える、ようにされてもよい。
【００１６】
例えば、情報書き替え部では、情報取得部で取得された複数の受像可能解像度の情報で示される解像度のうち、最低解像度を示すように、記憶部に記憶されている受像可能解像度の情報が書き替えられる。また、例えば、情報書き替え部では、情報取得部で取得された複数の受像可能解像度の情報で示される解像度のうち、最高解像度を示すように、記憶部に記憶されている受像可能解像度の情報が書き替えられる。また、例えば、情報書き替え部では、情報取得部で取得された複数の受像可能解像度の情報で示される解像度のうち、最低解像度と最高解像度との間の解像度を示すように、記憶部に記憶されている受像可能解像度の情報が書き替えられる。
【００１７】
このように後段の複数の電子機器から取得した受像可能解像度の情報に基づいて記憶部に記憶されている受像可能解像度の情報を書き替えることにより、前段の電子機器に、後段の複数の電子機器の受像可能解像度を考慮した受像可能解像度の情報の供給が可能となり、後段の複数の電子機器おける画像表示が良好に行われるようになる。
【発明の効果】
【００１８】
この発明によれば、記憶部に記憶されている前段の電子機器が取得するための受像可能解像度の情報を、後段の電子機器から取得した受像可能解像度の情報に基づいて書き替えるものであり、前段の電子機器に後段側の電子機器の受像可能解像度を考慮した受像可能解像度の情報を供給でき、後段側の電子機器において良好な映像表示が可能となる。
【発明を実施するための最良の形態】
【００１９】
以下、図面を参照しながら、この発明の実施の形態について説明する。図１は、実施の形態としてのＡＶ(Audio Visual)システム１００の構成例を示している。
【００２０】
ＡＶシステム１００は、ＤＶＤ(Digital Versatile Disc)レコーダ１２０と、テレビ受信機１４０と、テレビ受信機１６０とを有している。ＤＶＤレコーダ１２０は、ＨＤＭＩのソース機器を構成している。テレビ受信機１４０は、リピータ機能を有しており、ＨＤＭＩのリピータ機器を構成している。テレビ受信機１６０は、ＨＤＭＩのシンク機器を構成している。
【００２１】
ＤＶＤレコーダ１２０およびテレビ受信機１４０は、ＨＤＭＩケーブル２１０を介して接続されている。すなわち、ＨＤＭＩケーブル２１０の一端はＤＶＤレコーダ１２０が備えるＨＤＭＩ端子１２１に接続され、その他端はテレビ受信機１４０が備える入力側のＨＤＭＩ端子１４１に接続されている。また、テレビ受信機１４０およびテレビ受信機１６０は、ＨＤＭＩケーブル２２０を介して接続されている。すなわち、ＨＤＭＩケーブル２２０の一端はテレビ受信機１４０が備える出力側のＨＤＭＩ端子１４２に接続され、その他端はテレビ受信機１６０が備えるＨＤＭＩ端子１６１に接続されている。
【００２２】
テレビ受信機１４０は、記憶部としてのフラッシュＲＯＭ１４３を備えている。このフラッシュＲＯＭ１４３には、ＥＤＩＤ(Enhanced-Extended Display Identification)情報等が記憶されている。このＥＤＩＤ情報には、テレビ受信機１４０の受像可能解像度の情報も含まれている。同様に、テレビ受信機１６０は、記憶部としてのフラッシュＲＯＭ１６２を備えている。このフラッシュＲＯＭ１６２には、ＥＤＩＤ情報等が記憶されている。このＥＤＩＤ情報には、テレビ受信機１６０の受像可能解像度の情報も含まれている。
【００２３】
図２は、ＤＶＤレコーダ１２０の構成例を示している。ＤＶＤレコーダ１２０は、ＨＤＭＩ端子１２１と、制御部１２２と、ユーザ操作部１２３と、表示部１２４と、コーデック１２５と、外部装置を接続するための端子１２６と、記録再生部１２７と、ＨＤＭＩ送信部（ＨＤＭＩソース）１２９とを有している。
【００２４】
制御部１２２は、ＤＶＤレコーダ１２０の各部の動作を制御する。ユーザ操作部１２３および表示部１２４は、ユーザインタフェースを構成し、制御部１２２に接続されている。ユーザ操作部１２３は、ＤＶＤレコーダ１２０の図示しない筐体に配置されたキー、釦、ダイアル、あるいは表示部１２４の表示面に配置されたタッチパネル等で構成される。表示部１２４は、ＬＣＤ(Liquid Crystal Display)等で構成される。
【００２５】
記録再生部１２７は、コーデック１２５から供給される、画像データ（映像信号）、およびこの画像データに付随する音声データ（音声信号）を、例えば、ＭＰＥＧ(Moving Picture Experts Group)方式等でエンコードして得られるエンコードデータを、ＤＶＤ１２８に記録する。また、記録再生部１２７は、ＤＶＤ１２８からエンコードデータを再生し（読み出し）、コーデック１２５に供給する。
【００２６】
コーデック１２５は、記録再生部１２７から供給されるエンコードデータを、ベースバンド（非圧縮）の画像と音声のデータにＭＰＥＧ方式等でデコードし、当該ベースバンドの画像と音声のデータを、ＨＤＭＩ送信部（ＨＤＭＩソース）１２９に供給すると共に、端子１２６に出力する。また、コーデック１２５は、図示しない外部装置から端子１２６に入力されるベースバンドの画像と音声のデータを、エンコードデータにエンコードし、当該エンコードデータを、記録再生部１２７に供給する。ここで、外部装置は、ＨＤレコーダ、パーソナルコンピュータ、ＤＶＤレコーダ、ビデオカメラ等である。
【００２７】
ＨＤＭＩ送信部１２９はＨＤＭＩ端子１２１に接続されている。このＨＤＭＩ送信部１２９は、ＨＤＭＩに準拠した通信により、コーデック１２５から供給されるベースバンドの画像と音声のデータを、ＨＤＭＩ端子１２１から、ＨＤＭＩケーブルに２１０を介して、テレビ受信機１４０に、一方向に送信する。このＨＤＭＩ送信部１２９の詳細については後述する。
【００２８】
図３は、テレビ受信機１４０の構成例を示している。このテレビ受信機１４０は、ＨＤＭＩ端子１４１，１４２と、フラッシュＲＯＭ１４３と、制御部１４４と、ユーザ操作部１４５と、ＨＤＭＩ受信部（ＨＤＭＩシンク）１４６と、チューナ１４７と、アンテナ端子１４８と、切り替え器１４９と、表示処理部１５０と、表示パネル１５１と、ＨＤＭＩ送信部（ＨＤＭＩソース）１５２と、プルアップ抵抗１５３と、接続スイッチ１５４とを有している。
【００２９】
制御部１４４は、テレビ受信機１４０の各部の動作を制御する。ユーザ操作部１４５は、ユーザインタフェースを構成し、制御部１４４に接続されている。ユーザ操作部１４５は、テレビ受信機１４０の図示しない筐体に配置されたキー、釦、ダイアル、あるいはリモコン等で構成される。フラッシュＲＯＭ１４３は、上述したようにテレビ受信機１４０の受像可能解像度の情報を含むＥＤＩＤ情報等を記憶するものであり、制御部１４４に接続されている。
【００３０】
ＨＤＭＩ受信部１４６は、ＨＤＭＩ端子１４１に接続されている。このＨＤＭＩ受信部１４６は、ＨＤＭＩに準拠した通信により、ＨＤＭＩケーブル２１０を介して接続されているＤＶＤレコーダ１２０のＨＤＭＩ送信部１２９から一方向に送信されてくるベースバンドの画像と音声のデータを受信する。ＨＤＭＩ受信部１４６は、受信した画像データを切り替え器１４９に供給する。なお、ＨＤＭＩ受信部１４６が受信した音声のデータは、音声データ用の切り替え器に供給される。このＨＤＭＩ受信部１４６は信号受信部を構成している。このＨＤＭＩ受信部１４６の詳細については後述する。
【００３１】
チューナ１４７は、ＢＳ放送、地上波デジタル放送等を受信する。このチューナ１４７には、アンテナ端子１４８に接続された図示しないアンテナで捕らえられた放送信号が供給される。このチューナ１４７は、放送信号に基づいて、所定の番組の画像データ（映像信号）および音声データを取得する。このチューナ１４７は、放送受信部を構成している。切り替え器１４９は、ＨＤＭＩ受信部１４６で受信された画像データまたはチューナ１４７で取得された画像データを選択的に取り出す。
【００３２】
表示処理部１５０は、切り替え器１４９で取り出された画像データに対して、色調整、輪郭強調、グラフィックスデータの重畳等の処理を行う。表示パネル１５１は、表示処理部１５０で処理された画像データによる画像を表示する。表示パネル１５１は、例えば、ＬＣＤ(Liquid Crystal Display)、有機ＥＬ(ElectroLuminescence)、ＰＤＰ(Plasma Display Panel)等で構成される。
【００３３】
ＨＤＭＩ送信部１５２はＨＤＭＩ端子１４２に接続されている。このＨＤＭＩ送信部１５２は、ＨＤＭＩに準拠した通信により、ＨＤＭＩ受信部１４６で受信されたベースバンドの画像と音声のデータを、ＨＤＭＩ端子１４２から、ＨＤＭＩケーブルに２２０を介して、テレビ受信機１６０に、一方向に送信する。このＨＤＭＩ送信部１５２は信号送信部を構成している。このＨＤＭＩ送信部１５２の詳細については後述する。
【００３４】
後述するように、ＨＤＭＩ端子１４１の１９ピンはＨＰＤ(Hot Plug Detect)端子になっている。このＨＤＭＩ端子１４１の１９ピンは、プルアップ抵抗１５３を介して＋５Ｖ電源に接続されている。テレビ受信機１４０がＨＤＭＩケーブル２１０を介してＤＶＤレコーダ１２０に接続されるとき、ＤＶＤレコーダ１２０から電源が供給されることから、ＨＤＭＩ端子１４１の１９ピンの電圧が高くなる。ＤＶＤレコーダ１２０の制御部１２２は、ＨＤＭＩ端子１２１の１９ピンの電圧を監視しており、当該１９ピンの電圧が高くなることにより、テレビ受信機１４０の接続を確認する。プルアップ抵抗１５３は、ＤＶＤレコーダ１２０に供給する、接続を示す信号を発生する信号発生部を構成している。
【００３５】
また、ＨＤＭＩ端子１４１の１９ピンは接続スイッチ１５４を介して接地される。この接続スイッチ１５４は、制御部１４４の制御のもと、後述するように、フラッシュＲＯＭ１４３の受像可能解像度の情報の書き換えが行われるときは一時的にオンとされる。上述したように、テレビ受信機１４０がＨＤＭＩケーブル２１０を介してＤＶＤレコーダ１２０に接続されるとき、ＨＤＭＩ端子１４１の１９ピンの電圧が高くなり、接続を示す信号が発生されている状態に置かれる。しかし、接続スイッチ１５４がオンとされることで、ＨＤＭＩ端子１４１の１９ピンの電圧は低くなり、接続を示す信号の発生が一時的に停止される。
【００３６】
図４は、テレビ受信機１６０の構成例を示している。このテレビ受信機１６０は、ＨＤＭＩ端子１６１と、フラッシュＲＯＭ１６２と、制御部１６３と、ユーザ操作部１６４と、ＨＤＭＩ受信部（ＨＤＭＩシンク）１６５と、チューナ１６６と、アンテナ端子１６７と、切り替え器１６８と、表示処理部１６９と、表示パネル１７０と、プルアップ抵抗１７１とを有している。
【００３７】
制御部１６３は、テレビ受信機１６０の各部の動作を制御する。ユーザ操作部１６４は、ユーザインタフェースを構成し、制御部１６３に接続されている。ユーザ操作部１６４は、テレビ受信機１６０の図示しない筐体に配置されたキー、釦、ダイアル、あるいはリモコン等で構成される。フラッシュＲＯＭ１６２は、上述したようにテレビ受信機１６０の受像可能解像度の情報を含むＥＤＩＤ情報等を記憶するものであり、制御部１６３に接続されている。
【００３８】
ＨＤＭＩ受信部１６５は、ＨＤＭＩ端子１６１に接続されている。このＨＤＭＩ受信部１６５は、ＨＤＭＩに準拠した通信により、ＨＤＭＩケーブル２２０を介して接続されているテレビ受信機１４０のＨＤＭＩ送信部１５２から一方向に送信されてくるベースバンドの画像と音声のデータを受信する。ＨＤＭＩ受信部１６５は、受信した画像データを切り替え器１６８に供給する。なお、ＨＤＭＩ受信部１６５が受信した音声のデータは、音声データ用の切り替え器に供給される。このＨＤＭＩ受信部１６５の詳細については後述する。
【００３９】
チューナ１６６は、ＢＳ放送、地上波デジタル放送等を受信する。このチューナ１６６には、アンテナ端子１６７に接続された図示しないアンテナで捕らえられた放送信号が供給される。このチューナ１６６は、放送信号に基づいて、所定の番組の画像データ（映像信号）および音声データを取得する。切り替え器１６８は、ＨＤＭＩ受信部１６５で受信された画像データまたはチューナ１６６で取得された画像データを選択的に取り出す。
【００４０】
表示処理部１６９は、切り替え器１６８で取り出された画像データに対して、色調整、輪郭強調、グラフィックスデータの重畳等の処理を行う。表示パネル１７０は、表示処理部１６９で処理された画像データによる画像を表示する。表示パネル１７０は、例えば、ＬＣＤ(Liquid Crystal Display)、有機ＥＬ(ElectroLuminescence)、ＰＤＰ(Plasma Display Panel)等で構成される。
【００４１】
後述するように、ＨＤＭＩ端子１６１の１９ピンはＨＰＤ(Hot Plug Detect)端子になっている。このＨＤＭＩ端子１６１の１９ピンは、プルアップ抵抗１７１を介して＋５Ｖ電源に接続されている。テレビ受信機１６０がＨＤＭＩケーブル２２０を介してテレビ受信機１４０に接続されるとき、テレビ受信機１４０から電源が供給されることから、ＨＤＭＩ端子１６１の１９ピンの電圧が高くなる。テレビ受信機１４０の制御部１４４は、ＨＤＭＩ端子１４２の１９ピンの電圧を監視しており、当該１９ピンの電圧が高くなることにより、テレビ受信機１６０の接続を確認する。
【００４２】
図５は、図１のＡＶシステム１００における、ＤＶＤレコーダ１２０のＨＤＭＩ送信部（ＨＤＭＩソース）１２９と、テレビ受信機１４０のＨＤＭＩ受信部（ＨＤＭＩシンク）１４６の構成例を示している。
【００４３】
ＨＤＭＩ送信部１２９は、ある垂直同期信号から次の垂直同期信号までの区間（以下、適宜、「ビデオフィールド」という）から、水平ブランキング期間および垂直ブランキング期間を除いた区間である有効画像区間（以下、適宜、「アクティブビデオ区間」という）において、ベースバンド（非圧縮）の一画面分の画像データの差動信号を、複数のチャネルで、ＨＤＭＩ受信部１４６に一方向に送信する。また、ＨＤＭＩ送信部１２９は、水平ブランキング期間および垂直ブランキング期間において、画像データに付随する音声データおよび制御パケット（Control Packet）、さらにその他の補助データ等に対応する差動信号を、複数のチャネルで、ＨＤＭＩ受信部１４６に一方向に送信する。
【００４４】
ＨＤＭＩ送信部１２９は、ソース信号処理部７１およびＨＤＭＩトランスミッタ７２を有する。ソース信号処理部７１には、コーデック１２５（図２参照）から、ベースバンドの非圧縮の画像（Video）および音声（Audio）のデータが供給される。ソース信号処理部７１は、供給される画像および音声のデータに必要な処理を施し、ＨＤＭＩトランスミッタ７２に供給する。また、ソース信号処理部７１は、ＨＤＭＩトランスミッタ７２との間で、必要に応じて、制御用の情報やステータスを知らせる情報（Control/Status）等をやりとりする。
【００４５】
ＨＤＭＩトランスミッタ７２は、ソース信号処理部７１から供給される画像データを、対応する差動信号に変換し、複数のチャネルである３つのＴＭＤＳチャネル＃０，＃１，＃２で、ＨＤＭＩケーブル２１０を介して接続されているＨＤＭＩ受信部１４６に、一方向に送信する。
【００４６】
さらに、トランスミッタ７２は、ソース信号処理部７１から供給される、非圧縮の画像データに付随する音声データや制御パケットその他の補助データ（auxiliary data）と、垂直同期信号（VSYNC）、水平同期信号（HSYNC）等の制御データ（control data）とを、対応する差動信号に変換し、３つのＴＭＤＳチャネル＃０，＃１，＃２で、ＨＤＭＩケーブル２１０を介して接続されているＨＤＭＩ受信部１４６に、一方向に送信する。
【００４７】
また、トランスミッタ７２は、３つのＴＭＤＳチャネル＃０，＃１，＃２で送信する画像データに同期したピクセルクロックを、ＴＭＤＳクロックチャネルで、ＨＤＭＩケーブル２１０を介して接続されているＨＤＭＩ受信部１４６に送信する。
【００４８】
ＨＤＭＩ受信部１４６は、アクティブビデオ区間において、複数チャネルで、ＨＤＭＩ送信部１２９から一方向に送信されてくる、画像データに対応する差動信号を受信すると共に、水平ブランキング期間および垂直ブランキング期間において、複数のチャネルで、ＨＤＭＩ送信部１２９から送信されてくる、補助データや制御データに対応する差動信号を受信する。
【００４９】
ＨＤＭＩ受信部１４６は、ＨＤＭＩレシーバ８１およびシンク信号処理部８２を有する。ＨＤＭＩレシーバ８１は、ＴＭＤＳチャネル＃０，＃１，＃２で、ＨＤＭＩケーブル２１０を介して接続されているＨＤＭＩ送信部１２９から一方向に送信されてくる、画像データに対応する差動信号と、補助データや制御データに対応する差動信号を、同じくＨＤＭＩ送信部１２９からＴＭＤＳクロックチャネルで送信されてくるピクセルクロックに同期して受信する。さらに、ＨＤＭＩレシーバ８１は、差動信号を、対応する画像データ、補助データ、制御データに変換し、必要に応じて、シンク信号処理部８２に供給する。
【００５０】
シンク信号処理部８２は、ＨＤＭＩレシーバ８１から供給されるデータに必要な処理を施し、切り替え器１４９およびＨＤＭＩ送信部（ＨＤＭＩソース）１５２（図３参照）に供給する。その他、シンク信号処理部８２は、ＨＤＭＩレシーバ８１との間で、必要に応じて、制御用の情報やステータスを知らせる情報（Control/Status）等をやりとりする。
【００５１】
ＨＤＭＩの伝送チャネルには、ＨＤＭＩ送信部１２９からＨＤＭＩ受信部１４６に対して、画像データ、補助データ、および制御データを、ピクセルクロックに同期して、一方向にシリアル伝送するための３つのＴＭＤＳチャネル＃０，＃１，＃２と、ピクセルクロックを伝送する伝送チャネルとしてのＴＭＤＳクロックチャネルとの他に、ＤＤＣ(Display Data Channel)８３、さらには、ＣＥＣライン８４と呼ばれる伝送チャネルがある。
【００５２】
ＤＤＣ８３は、ＨＤＭＩケーブル２１０に含まれる図示しない２本のライン（信号線）からなり、ＤＶＤレコーダ１２０が、ＨＤＭＩケーブル２１０を介して接続されたテレビ受信機１４０のフラッシュＲＯＭ１４３から、ＥＤＩＤ(Extended Display Identification)情報を読み出すために使用される。ＤＶＤレコーダ１２０は、当該ＥＤＩＤ情報に基づいて、テレビ受信機１４０の設定、性能を認識する。
【００５３】
ＣＥＣライン８４は、ＨＤＭＩケーブル２１０に含まれる図示しない１本のラインからなり、ＤＶＤレコーダ１２０とテレビ受信機１４０との間で、制御用のデータの双方向通信を行うために用いられる。
【００５４】
また、ＨＤＭＩケーブル２１０には、ＨＰＤ(Hot Plug Detect)と呼ばれるピンに接続されるライン８６が含まれている。ＤＶＤレコーダ１２０は、当該ライン８６を利用して、テレビ受信機１４０の接続を検出することができる。また、ＨＤＭＩケーブル２１０には、ＤＶＤレコーダ１２０からテレビ受信機１４０に電源を供給するために用いられるライン８７が含まれている。
【００５５】
図６は、ＨＤＭＩの３つのＴＭＤＳチャネル＃０，＃１，＃２で各種の伝送データが伝送される伝送区間（期間）の例を示している。なお、図６は、ＴＭＤＳチャネル＃０，＃１，＃２において、横×縦が７２０×４８０画素のプログレッシブの画像が伝送される場合の、各種の伝送データの区間を示している。
【００５６】
ＨＤＭＩの３つのＴＭＤＳチャネル＃０，＃１，＃２で伝送データが伝送されるビデオフィールド（Video Field）には、伝送データの種類に応じて、ビデオデータ区間（VideoData period）、データアイランド区間（Data Island period）、およびコントロール区間（Control period）の３種類の区間が存在する。
【００５７】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（verticalblanking）、並びに、ビデオフィールド区間から、水平ブランキング期間および垂直ブランキング期間を除いた区間であるアクティブビデオ区間（Active Video）に分けられる。
【００５８】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。
【００５９】
データアイランド区間およびコントロール区間は、水平ブランキング期間および垂直ブランキング期間に割り当てられる。このデータアイランド区間およびコントロール区間では、補助データ（Auxiliary data）が伝送される。
【００６０】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００６１】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００６２】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍbps程度である。
【００６３】
図７は、ＨＤＭＩ端子１２１，１４１，１４２，１６１のピン配列を示している。このピン配列はタイプＡ（type-A）と呼ばれている。
【００６４】
ＴＭＤＳチャネル＃ｉの差動信号であるTMDS Data#i+とTMDS Data#i-が伝送される差動線である２本のラインは、TMDS Data#i+が割り当てられているピン（ピン番号が１，４，７のピン）と、TMDSData#i-が割り当てられているピン（ピン番号が３，６，９のピン）に接続される。
【００６５】
また、制御用のデータであるＣＥＣ信号が伝送されるＣＥＣＥライン８４は、ピン番号が１３であるピンに接続され、ピン番号が１４のピンは空き（Reserved）ピンとなっている。また、ＥＤＩＤ情報等のＳＤＡ(SerialData)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【００６６】
また、上述したようにソース機器１１０がシンク機器１２０の接続を検出するためのライン８６は、ピン番号が１９であるピンに接続される。また、上述したように電源を供給するためのライン８７は、ピン番号が１８であるピンに接続される。
【００６７】
なお、上述では、図１のＡＶシステム１００における、ＤＶＤレコーダ１２０のＨＤＭＩ送信部（ＨＤＭＩソース）１２９とテレビ受信機１４０のＨＤＭＩ受信部（ＨＤＭＩシンク）１４６の構成例を示した。詳細説明は省略するが、図１のＡＶシステム１００における、テレビ受信機１４０のＨＤＭＩ送信部（ＨＤＭＩソース）１５２とテレビ受信機１６０のＨＤＭＩ受信部（ＨＤＭＩシンク）１６５も、同様に構成されている。
【００６８】
図１に示すＡＶシステム１００のシステム構成時の動作例を説明する。
【００６９】
まず、テレビ受信機１４０のＨＤＭＩ端子１４２とテレビ受信機１６０のＨＤＭＩ端子１６１とがＨＤＭＩケーブル２２０により接続される。このとき、ＨＤＭＩケーブル２２０のライン８７（図５参照）を通じて、テレビ受信機１４０からテレビ受信機１６０に電源が供給される。そのため、テレビ受信機１６０のＨＤＭＩ端子１６１における１９ピンの電圧が高くなり、テレビ受信機１４０のＨＤＭＩ端子１４２における１９ピンの電圧も高くなる。
【００７０】
テレビ受信機１４０の制御部１４４は、ＨＤＭＩ端子１４２における１９ピンの電圧を監視しており、当該電圧が高くなることで、テレビ受信機１４０にＨＤＭＩケーブル２２０を介してテレビ受信機１６０が接続されたことを認識でき、所定の動作を開始する。
【００７１】
制御部１４４は、ＨＤＭＩケーブル２２０のＤＤＣ８３を用いて、テレビ受信機１６０のフラッシュＲＯＭ１６２に記憶されているＥＤＩＤ情報を読み出し、テレビ受信機１６０の設定、性能を認識する。この意味で、制御部１４４は、情報取得部を構成している。また、制御部１４４は、上述したようにテレビ受信機１６０のフラッシュＲＯＭ１６２から取得したＥＤＩＤ情報に含まれる受像可能解像度の情報が示す第１の解像度と、フラッシュＲＯＭ１４３に記憶されているＥＤＩＤ情報に含まれる受像可能解像度の情報が示す第２の解像度とを比較する。
【００７２】
そして、制御部１４４は、第１の解像度が第２の解像度よりも低いとき、フラッシュＲＯＭ１４３に記憶されているＥＤＩＤ情報に含まれる受像可能解像度の情報を、第１の解像度を示すように書き替える。この意味で、制御部１４４は、情報書き替え部を構成している。例えば、第１の解像度が４８０ｉ、４８０ｐであり、第２の解像度が４８０ｉ、４８０ｐ、１０８０ｉ、７２０ｐ、１０８０ｐであるとき、フラッシュＲＯＭ１４３の受像可能解像度の情報は、４８０ｐを示すように書き替えられる。これにより、フラッシュＲＯＭ１４３の受像可能解像度の情報は、テレビ受信機１４０，１６０の受像可能解像度のうち最も低い解像度を示すものとなる。なお、フラッシュＲＯＭ１４３の受像可能解像度の書き換えが行われるとき、接続スイッチ１５４は一時的にオンとされる。
【００７３】
次に、ＤＶＤレコーダ１２０のＨＤＭＩ端子１２１とテレビ受信機１４０のＨＤＭＩ端子１４１とがＨＤＭＩケーブル２１０により接続される。このとき、ＨＤＭＩケーブル２１０のライン８７（図５参照）を通じて、ＤＶＤレコーダ１２０からテレビ受信機１４０に電源が供給される。そのため、テレビ受信機１４０のＨＤＭＩ端子１４１における１９ピンの電圧が高くなり、ＤＶＤレコーダ１２０のＨＤＭＩ端子１２１における１９ピンの電圧も高くなる。
【００７４】
ＤＶＤレコーダ１２０の制御部１２２は、ＨＤＭＩ端子１２１における１９ピンの電圧を監視しており、当該電圧が高くなることで、ＤＶＤレコーダ１２０にＨＤＭＩケーブル２１０を介してテレビ受信機１４０が接続されたことを認識でき、所定の動作を開始する。
【００７５】
制御部１２２は、ＨＤＭＩケーブル２１０のＤＤＣ８３を用いて、テレビ受信機１４０のフラッシュＲＯＭ１４３に記憶されているＥＤＩＤ情報を読み出し、テレビ受信機１４０の設定、性能を認識する。上述したように、テレビ受信機１４０のフラッシュＲＯＭ１４３の受像可能解像度の情報で示される解像度は、テレビ受信機１４０，１６０の受像可能解像度のうち最も低い解像度となっている。したがって、ＤＶＤレコーダ１２０の制御部１２２は、テレビ受信機１４０のフラッシュＲＯＭ１４３から読み出したＥＤＩＤ情報を解析することで、テレビ受信機１４０，１６０の受像可能解像度のうち最も低い解像度を認識する。
【００７６】
なお、上述の動作は、テレビ受信機１４０にＨＤＭＩケーブル２２０を介してテレビ受信機１６０が接続された後に、ＤＶＤレコーダ１２０にＨＤＭＩケーブル２１０を介してテレビ受信機１４０が接続されたものである。
【００７７】
しかし、この逆に、ＤＶＤレコーダ１２０にＨＤＭＩケーブル２１０を介してテレビ受信機１４０が接続された後に、テレビ受信機１４０にＨＤＭＩケーブル２２０を介してテレビ受信機１６０が接続されることもある。その場合、ＤＶＤレコーダ１２０の制御部１２２は、ＤＶＤレコーダ１２０にＨＤＭＩケーブル２１０を介してテレビ受信機１４０が接続されるとき、ＨＤＭＩケーブル２１０のＤＤＣ８３を用いて、テレビ受信機１４０のフラッシュＲＯＭ１４３からＥＤＩＤ情報を読み出す。
【００７８】
さらに、テレビ受信機１４０にＨＤＭＩケーブル２２０を介してテレビ受信機１６０が接続され、テレビ受信機１４０のフラッシュＲＯＭ１４３の受像可能解像度の情報が書き替えられる場合には、接続スイッチ１５４が一時的にオンとされ、ＨＤＭＩ端子１４１の１９ピンの電圧が一時的に低くなる。そのため、ＤＶＤレコーダ１２０の制御部１２２は、テレビ受信機１４０の取り外しおよび再接続を認識し、ＨＤＭＩケーブル２１０のＤＤＣ８３を用いて、テレビ受信機１４０のフラッシュＲＯＭ１４３からＥＤＩＤ情報を再度読み出す。
【００７９】
そのため、ＤＶＤレコーダ１２０にＨＤＭＩケーブル２１０を介してテレビ受信機１４０が接続された後に、テレビ受信機１４０にＨＤＭＩケーブル２２０を介してテレビ受信機１６０が接続される場合にあっても、ＤＶＤレコーダ１２０の制御部１２２は、テレビ受信機１４０のフラッシュＲＯＭ１４３から読み出したＥＤＩＤ情報を解析することで、テレビ受信機１４０，１６０の受像可能解像度のうち最も低い解像度を認識する。
【００８０】
次に、図１に示すＡＶシステム１００のシステム構成後の動作例を説明する。
【００８１】
例えば、ＤＶＤレコーダ１２０（図２参照）の端子１２６に外部装置が接続された状態で、ユーザが、外部装置からのデータを記録するようにＤＶＤレコーダ１２０を操作すると、コーデック１２５により外部装置からの画像と音声のデータがエンコードされ、エンコードデータは記録再生部１２７によりＤＶＤ１２８に記録される。
【００８２】
また、ユーザが、ＤＶＤ１２８に記録されているデータを送信するようにＤＶＤレコーダ１２０を操作すると、記録再生部１２７により、ＤＶＤ１２８からエンコードデータが再生され、コーデック１２５に供給される。コーデック１２５では、記録再生部１２７で再生されたエンコードデータが、ベースバンドの画像と音声のデータにデコードされ、そのベースバンドの画像と音声のデータは、ＨＤＭＩ送信部１２９に供給される。
【００８３】
ＨＤＭＩ送信部１２９では、コーデック１２５から供給される画像データの解像度が、上述したように、ＤＶＤレコーダ１２０の制御部１２２で認識した、テレビ受信機１４０，１６０の受像可能解像度のうち最も低い解像度に合わせられる。例えば、テレビ受信機１６０の受像可能解像度が４８０ｉ、４８０ｐであり、テレビ受信機１４０の受像可能解像度が４８０ｉ、４８０ｐ、１０８０ｉ、７２０ｐ、１０８０ｐであるとき、ＨＤＭＩ送信部１２９では、コーデック１２５から供給される画像データに対し、その解像度を４８０ｐとする処理が行われる。
【００８４】
そして、ＨＤＭＩ送信部１２９では、ＨＤＭＩに準拠した通信により、テレビ受信機１４０，１６０の受像可能解像度のうち最も低い解像度に合わせられた画像データと、コーデック１２５から供給されるベースバンドの音声データとが、ＨＤＭＩケーブル２１０を介して、テレビ受信機１４０に、一方向に、送信される。
【００８５】
テレビ受信機１４０（図３参照）では、ＨＤＭＩ受信部１４６で、ＨＤＭＩに準拠した通信により、ＤＶＤレコーダ１２０のＨＤＭＩ送信部１２９からＨＤＭＩケーブル２１０を介して一方向に送信されてくるベースバンドの画像と音声のデータが受信される。ＨＤＭＩ受信部１４６で受信された画像データは切り替え器１４９に供給され、また、ＨＤＭＩ受信部１４６で受信された音声データは、図示しない音声データ用の切り替え器に供給される。
【００８６】
また、チューナ１４７で受信された画像データは切り替え器１４９に供給される。また、チューナ１４７で受信された音声データは、図示しない音声データ用の切り替え器に供給される。ユーザがユーザ操作部１４５でＨＤＭＩ受信部１４６を選択する操作を行うとき、切り替え器１４９ではＨＤＭＩ受信部１４６で受信された画像データが取り出される。この画像データの解像度はテレビ受信機１４０の受像可能解像度に含まれることから、当該テレビ受信機１４０において受像が可能である。一方、ユーザがユーザ操作部１４５でチューナ１４７を選択する操作を行うとき、切り替え器１４９ではチューナ１４７で受信された画像データが取り出される。なお、図示しない音声データ用の切り替え器では、切り替え器１４９で取り出される画像データに対応した音声データが取り出される。
【００８７】
切り替え器１４９で取り出された画像データは、表示処理部１５０に供給される。この表示処理部１５０では、制御部１４４の制御のもと、画像データに対して、色調整、輪郭強調、グラフィックスデータの重畳等の処理が行われる。また、この表示処理部１５０では、必要に応じて、スケーリングの処理も行われる。例えば、切り替え器１４９においてＨＤＭＩ受信部１４６で受信された画像データが取り出され、この画像データの解像度が４８０ｐであるのに対して、テレビ受信機１４０の受像可能解像度に１０８０ｐが含まれるとき、表示処理部１５０では、ユーザの画像拡大の指示に基づいて、拡大スケーリングの処理が行われる。表示パネル１５１には、表示処理部１５０から供給される画像データによる画像が表示される。
【００８８】
なお、音声データ用の切り替え器で取り出される音声データはアナログ信号に変換された後図示しないスピーカに供給され、表示パネル１５１に表示された画像に対応した音声が出力される。
【００８９】
また、ＨＤＭＩ受信部１４６で受信されたベースバンドの画像と音声のデータは、ＨＤＭＩ送信部１５２に供給される。ＨＤＭＩ送信部１５２では、ＨＤＭＩに準拠した通信により、ベースバンドの画像と音声のデータが、ＨＤＭＩケーブル２２０を介して、テレビ受信機１６０に、一方向に、送信される。
【００９０】
テレビ受信機１６０（図４参照）では、ＨＤＭＩ受信部１６５で、ＨＤＭＩに準拠した通信により、テレビ受信機１４０のＨＤＭＩ送信部１５２からＨＤＭＩケーブル２２０を介して一方向に送信されてくるベースバンドの画像と音声のデータが受信される。ＨＤＭＩ受信部１６５で受信された画像データは切り替え器１６８に供給され、また、ＨＤＭＩ受信部１６５で受信された音声データを、図示しない音声データ用の切り替え器に供給される。
【００９１】
また、チューナ１６６で受信された画像データは切り替え器１６８に供給される。また、チューナ１６６で受信された音声データは、図示しない音声データ用の切り替え器に供給される。ユーザがユーザ操作部１６４でＨＤＭＩ受信部１６５を選択する操作を行うとき、切り替え器１６８ではＨＤＭＩ受信部１６５で受信された画像データが取り出される。この画像データの解像度はテレビ受信機１６０の受像可能解像度以下にあることから、当該テレビ受信機１６０において受像が可能である。一方、ユーザがユーザ操作部１６４でチューナ１６６を選択する操作を行うとき、切り替え器１６８ではチューナ１６６で受信された画像データが取り出される。なお、図示しない音声データ用の切り替え器では、切り替え器１６８で取り出される画像データに対応した音声データが取り出される。
【００９２】
切り替え器１６８で取り出された画像データは、表示処理部１６９に供給される。この表示処理部１６９では、制御部１６３の制御のもと、画像データに対して、色調整、輪郭強調、グラフィックスデータの重畳等の処理が行われる。また、この表示処理部１６９では、上述したテレビ受信機１４０の表示処理部１５０と同様に、必要に応じて、スケーリングの処理も行われる。
【００９３】
表示パネル１７０には、表示処理部１６９から供給される画像データによる画像が表示される。なお、音声データ用の切り替え器で取り出される音声データはアナログ信号に変換された後図示しないスピーカに供給され、表示パネル１７０に表示された画像に対応した音声が出力される。
【００９４】
以上説明したように、図１に示すＡＶシステム１００においては、システム構成時に、テレビ受信機１４０のフラッシュＲＯＭ１４３の受像可能解像度の情報が、テレビ受信機１４０，１６０の受像可能解像度のうち最も低い解像度を示すように書き替えられる。そして、ＤＶＤレコーダ１２０の制御部１２２では、テレビ受信機１４０のフラッシュＲＯＭ１４３から読み出したＥＤＩＤ情報が解析されて、テレビ受信機１４０，１６０の受像可能解像度のうち最も低い解像度が認識される。
【００９５】
そのため、図１に示すＡＶシステム１００においては、システム構成後に、ＤＶＤレコーダ１２０からテレビ受信機１４０，１６０に送信される画像データの解像度は、上述したように制御部１２２で認識された解像度、つまり、テレビ受信機１４０，１６０の受像可能解像度のうち最も低い解像度に合わせられる。したがって、テレビ受信機１４０，１６０のいずれにおいても、ＤＶＤレコーダ１２０から送られてくる画像データによる受像が可能となる。
【００９６】
また、図１に示すＡＶシステム１００のテレビ受信機１４０においては、システム構成時に、テレビ受信機１４０の受像可能解像度がテレビ受信機１６０の受像可能解像度よりも低く、フラッシュＲＯＭ１４３の受像可能解像度の情報が、テレビ受信機１６０の受像可能解像度を示すように書き替えが行われるとき、接続スイッチ１５４は一時的にオンとされる。
【００９７】
そのため、ＤＶＤレコーダ１２０にＨＤＭＩケーブル２１０を介してテレビ受信機１４０が接続された後に、テレビ受信機１４０にＨＤＭＩケーブル２２０を介してテレビ受信機１６０が接続される場合にあっても、テレビ受信機１４０のフラッシュＲＯＭ１４３の受像可能解像度の情報の書き替えがあるとき、ＤＶＤレコーダ１２０の制御部１２２は、ＨＤＭＩ端子１４１の１９ピンの電圧が一時的に低くなることから、テレビ受信機１４０の取り外しおよび再接続を認識し、テレビ受信機１４０のフラッシュＲＯＭ１４３からＥＤＩＤ情報を再度読み出す。
【００９８】
したがって、ＤＶＤレコーダ１２０にＨＤＭＩケーブル２１０を介してテレビ受信機１４０が接続された後に、テレビ受信機１４０にＨＤＭＩケーブル２２０を介してテレビ受信機１６０が接続される場合にあっても、ＤＶＤレコーダ１２０の制御部１２２は、テレビ受信機１４０のフラッシュＲＯＭ１４３から読み出したＥＤＩＤ情報を解析することで、テレビ受信機１４０，１６０の受像可能解像度のうち最も低い解像度を認識できる。
【００９９】
なお、上述したようにシステム構成時にテレビ受信機１４０のフラッシュＲＯＭ１４３の受像可能解像度の情報は、テレビ受信機１６０の受像可能解像度がテレビ受信機１４０の受像可能解像度よりも低い場合には書き替えられる。その場合、テレビ受信機１４０に対するテレビ受信機１６０の接続が外されてシステムが解除されるとき、フラッシュＲＯＭ１４３の受像可能解像度の情報は、当該テレビ受信機１４０の受像可能解像度を示す元の状態に戻される。
【０１００】
次に、この発明の他の実施の形態について説明する。図８は、他の実施の形態としてのＡＶシステム１００Ａの構成を示している。この図８において、図１と対応する部分には同一符号を付し、適宜、その詳細説明は省略する。
【０１０１】
ＡＶシステム１００Ａは、ＤＶＤ(Digital Versatile Disc)レコーダ１２０と、テレビ受信機１４０と、テレビ受信機１４０Ａと、テレビ受信機１６０とを有している。ＤＶＤレコーダ１２０は、ＨＤＭＩのソース機器を構成している。テレビ受信機１４０，１４０Ａは、リピータ機能を有しており、ＨＤＭＩのリピータ機器を構成している。テレビ受信機１６０は、ＨＤＭＩのシンク機器を構成している。このＡＶシステム１００Ａは、図１に示すＡＶシステム１００のテレビ受信機１４０とテレビ受信機１６０との間に、テレビ受信機１４０Ａが挿入された構成となっている。
【０１０２】
ＤＶＤレコーダ１２０およびテレビ受信機１４０は、ＨＤＭＩケーブル２１０を介して接続されている。すなわち、ＨＤＭＩケーブル２１０の一端はＤＶＤレコーダ１２０が備えるＨＤＭＩ端子１２１に接続され、その他端はテレビ受信機１４０が備える入力側のＨＤＭＩ端子１４１に接続されている。
【０１０３】
また、テレビ受信機１４０およびテレビ受信機１４０Ａは、ＨＤＭＩケーブル２２０を介して接続されている。すなわち、ＨＤＭＩケーブル２２０の一端はテレビ受信機１４０が備える出力側のＨＤＭＩ端子１４２に接続され、その他端はテレビ受信機１４０Ａが備える入力側のＨＤＭＩ端子１４１Ａに接続されている。
【０１０４】
また、テレビ受信機１４０Ａおよびテレビ受信機１６０は、ＨＤＭＩケーブル２３０を介して接続されている。すなわち、ＨＤＭＩケーブル２３０の一端はテレビ受信機１４０Ａが備える出力側のＨＤＭＩ端子１４２Ａに接続され、その他端はテレビ受信機１６０が備えるＨＤＭＩ端子１６１に接続されている。
【０１０５】
テレビ受信機１４０，１４０Ａ，１６０は、記憶部としてのフラッシュＲＯＭ１４３，１４３Ａ，１６２を備えている。このフラッシュＲＯＭ１４３，１４３Ａ，１６２には、ＥＤＩＤ情報等が記憶されている。このＥＤＩＤ情報には、テレビ受信機１４０，１４０Ａ，１６０の受像可能解像度の情報も含まれている。
【０１０６】
ＤＶＤレコーダ１２０、テレビ受信機１４０およびテレビ受信機１６０は、上述の図１に示すＡＶシステム１００におけるＤＶＤレコーダ１２０、テレビ受信機１４０およびテレビ受信機１６０と同様の構成とされている（図２、図３、図４参照）。また、テレビ受信機１４０Ａは、詳細説明は省略するが、テレビ受信機１４０と同様に構成されている。
【０１０７】
図８に示すＡＶシステム１００Ａにおいて、システム構成時にあっては、テレビ受信機１６０は、上述した図１のＡＶシステム１００のテレビ受信機１６０と同様に動作し、また、テレビ受信機１４０およびテレビ受信機１４０Ａは、上述した図１のＡＶシステム１００のテレビ受信機１４０と同様に動作する。
【０１０８】
そのため、テレビ受信機１４０のフラッシュメモリ１４３の受像可能解像度の情報は、テレビ受信機１４０，１４０Ａ，１６０の受像可能解像度のうち最も低い解像度を示すものとされる。そして、ＤＶＤレコーダ１２０の制御部１２２では、図１に示すＡＶシステム１００と同様に、テレビ受信機１４０のフラッシュＲＯＭ１４３から読み出したＥＤＩＤ情報を解析して、テレビ受信機１４０，１４０Ａ，１６０の受像可能解像度のうち最も低い解像度が認識される。
【０１０９】
したがって、図８に示すＡＶシステム１００Ａにおいては、システム構成後に、ＤＶＤレコーダ１２０からテレビ受信機１４０，１４０Ａ，１６０に送信される画像データの解像度は、上述したように制御部１２２で認識された解像度、つまり、テレビ受信機１４０，１４０Ａ，１６０の受像可能解像度のうち最も低い解像度に合わせられる。そのため、テレビ受信機１４０，１４０Ａ，１６０のいずれにおいても、ＤＶＤレコーダ１２０から送られてくる画像データによる受像が可能となる。
【０１１０】
なお、図８に示すＡＶシステム１００Ａでは、ＤＶＤレコーダ１００とテレビ受信機１６０との間に、リピータ機能を持つ２個のテレビ受信機１４０，１４０Ａを直列に挿入したものを示したが、同様のテレビ受信機を３個以上挿入したＡＶシステムも同様に構成することができる。
【０１１１】
また、上述の図１、図８に示すＡＶシステム１００，１００Ａにおいて、テレビ受信機１４０，１４０Ａは、後段のテレビ受信機の受像可能解像度が自己の受像可能解像度よりも低いとき、フラッシュＲＯＭの受像可能解像度の情報を後段のテレビ受信機の受像可能解像度を示すように書き替えるものを示した。しかし、テレビ受信機１４０，１４０Ａは、自己の受像可能解像度の大小によらずに、フラッシュＲＯＭの受像可能解像度の情報を後段のテレビ受信機の受像可能解像度を示すように書き替えることも考えられる。
【０１１２】
その場合、図１、図８に示すＡＶシステム１００，１００Ａにおいて、システム構成時には、テレビ受信機１４０のフラッシュＲＯＭ１４３の受像可能解像度の情報は、最後段に接続されるテレビ受信機１６０の受像可能解像度を示すものとされる。そして、ＤＶＤレコーダ１２０の制御部１２２は、テレビ受信機１４０のフラッシュＲＯＭ１４３から読み出したＥＤＩＤ情報を解析して、テレビ受信機１６０の受像可能解像度を認識する。
【０１１３】
したがって、その場合、システム構成後に、ＤＶＤレコーダ１２０から後段に送信される画像データの解像度は、上述したように制御部１２２で認識された解像度、つまり、テレビ受信機１６０の受像可能解像度に合わせられる。そのため、少なくとも、テレビ受信機１６０では、ＤＶＤレコーダ１２０から送られてくる画像データによる良好な受像が可能となる。
【０１１４】
なお、この場合、その他のテレビ受信機１４０，１４０Ａにおいては、その受像可能解像度が、テレビ受信機１６０の受像可能解像度以上である場合には、同様に受像が可能となる。
【０１１５】
次に、この発明の、さらに他の実施の形態について説明する。図９は、他の実施の形態としてのＡＶ(Audio Visual)システム１００Ｂの構成例を示している。この図９において、図１と対応する部分には同一符号を付し、適宜、その詳細説明を省略する。
【０１１６】
ＡＶシステム１００Ｂは、ＤＶＤレコーダ１２０と、テレビ受信機１８０と、テレビ受信機１６０Ａ〜１６０Ｃとを有している。ＤＶＤレコーダ１２０は、ＨＤＭＩのソース機器を構成している。テレビ受信機１８０は、リピータ機能を有しており、ＨＤＭＩのリピータ機器を構成している。テレビ受信機１６０Ａ〜１６０Ｃは、ＨＤＭＩのシンク機器を構成している。
【０１１７】
ＤＶＤレコーダ１２０およびテレビ受信機１８０は、ＨＤＭＩケーブル２１０を介して接続されている。すなわち、ＨＤＭＩケーブル２１０の一端はＤＶＤレコーダ１２０が備えるＨＤＭＩ端子１２１に接続され、その他端はテレビ受信機１８０が備える入力側のＨＤＭＩ端子１８１に接続されている。
【０１１８】
テレビ受信機１８０およびテレビ受信機１６０Ａ〜１６０Ｃは、ＨＤＭＩケーブル２４０〜２６０を介して接続されている。すなわち、ＨＤＭＩケーブル２４０の一端はテレビ受信機１８０が備える出力側の第１のＨＤＭＩ端子１８２に接続され、その他端はテレビ受信機１６０Ａが備えるＨＤＭＩ端子１６１Ａに接続されている。また、ＨＤＭＩケーブル２５０の一端はテレビ受信機１８０が備える出力側の第２のＨＤＭＩ端子１８３に接続され、その他端はテレビ受信機１６０Ｂが備えるＨＤＭＩ端子１６１Ｂに接続されている。また、ＨＤＭＩケーブル２６０の一端はテレビ受信機１８０が備える出力側の第３のＨＤＭＩ端子１８４に接続され、その他端はテレビ受信機１６０Ｃが備えるＨＤＭＩ端子１６１Ｃに接続されている。
【０１１９】
テレビ受信機１８０は、記憶部としてのフラッシュＲＯＭ１８５を備えている。このフラッシュＲＯＭ１８５には、ＥＤＩＤ情報等が記憶されている。このＥＤＩＤ情報には、テレビ受信機１８０の受像可能解像度の情報も含まれている。同様に、テレビ受信機１６０Ａ〜１６０Ｃは、記憶部としてのフラッシュＲＯＭ１６２Ａ〜１６２Ｃを備えている。このフラッシュＲＯＭ１６２Ａ〜１６２Ｃには、ＥＤＩＤ情報等が記憶されている。このＥＤＩＤ情報には、テレビ受信機１６０Ａ〜１６０Ｃの受像可能解像度の情報も含まれている。
【０１２０】
ＤＶＤレコーダ１２０は、上述の図１に示すＡＶシステム１００におけるＤＶＤレコーダ１２０と同様の構成とされている（図２参照）。また、テレビ受信機１６０Ａ〜１６０Ｃは、詳細説明は省略するが、上述の図１に示すＡＶシステム１００におけるテレビ受信機１６０と同様の構成とされている（図４参照）。
【０１２１】
図１０は、テレビ受信機１８０の構成例を示している。このテレビ受信機１８０は、ＨＤＭＩ端子１８１〜１８４と、フラッシュＲＯＭ１８５と、制御部１８６と、ユーザ操作部１８７と、ＨＤＭＩ受信部（ＨＤＭＩシンク）１８８と、チューナ１８９と、アンテナ端子１９０と、切り替え器１９１と、表示処理部１９２と、表示パネル１９３と、ＨＤＭＩ送信部（ＨＤＭＩソース）１９４と、プルアップ抵抗１９５と、接続スイッチ１９６とを有している。
【０１２２】
制御部１８６は、テレビ受信機１８０の各部の動作を制御する。ユーザ操作部１８７は、ユーザインタフェースを構成し、制御部１８６に接続されている。ユーザ操作部１８７は、テレビ受信機１８０の図示しない筐体に配置されたキー、釦、ダイアル、あるいはリモコン等で構成される。フラッシュＲＯＭ１８５は、上述したようにテレビ受信機１８０の受像可能解像度の情報を含むＥＤＩＤ情報等を記憶するものであり、制御部１８６に接続されている。
【０１２３】
ＨＤＭＩ受信部１８８は、ＨＤＭＩ端子１８１に接続されている。このＨＤＭＩ受信部１８８は、ＨＤＭＩに準拠した通信により、ＨＤＭＩケーブル２１０を介して接続されているＤＶＤレコーダ１２０のＨＤＭＩ送信部１２９（図２参照）から一方向に送信されてくるベースバンドの画像と音声のデータを受信する。ＨＤＭＩ受信部１８８は、受信した画像データを切り替え器１９１に供給する。なお、ＨＤＭＩ受信部１８８が受信した音声のデータは、音声データ用の切り替え器に供給される。このＨＤＭＩ受信部１８８は信号受信部を構成している。詳細説明は省略するが、このＨＤＭＩ受信部１８８は、上述したテレビ受信機１４０のＨＤＭＩ受信部１４６（図５参照）と同様に構成されている。
【０１２４】
チューナ１８９は、ＢＳ放送、地上波デジタル放送等を受信する。このチューナ１８９には、アンテナ端子１９０に接続された図示しないアンテナで捕らえられた放送信号が供給される。このチューナ１８９は、放送信号に基づいて、所定の番組の画像データ（映像信号）および音声データを取得する。このチューナ１８９は、放送受信部を構成している。切り替え器１９１は、ＨＤＭＩ受信部１８８で受信された画像データまたはチューナ１８９で取得された画像データを選択的に取り出す。
【０１２５】
表示処理部１９２は、切り替え器１９１で取り出された画像データに対して、色調整、輪郭強調、グラフィックスデータの重畳等の処理を行う。表示パネル１９３は、表示処理部１９２で処理された画像データによる画像を表示する。表示パネル１９３は、例えば、ＬＣＤ(Liquid Crystal Display)、有機ＥＬ(ElectroLuminescence)、ＰＤＰ(Plasma Display Panel)等で構成される。
【０１２６】
ＨＤＭＩ送信部１９４は、ＨＤＭＩ端子１８２〜１８４に接続されている。このＨＤＭＩ送信部１９４は、ＨＤＭＩに準拠した通信により、ＨＤＭＩ受信部１８８で受信されたベースバンドの画像と音声のデータを、ＨＤＭＩ端子１８２〜１８４から、ＨＤＭＩケーブル２４０〜２６０を介して、テレビ受信機１６０Ａ〜１６０Ｃに、一方向に送信する。このＨＤＭＩ送信部１９４は信号送信部を構成している。詳細説明は省略するが、このＨＤＭＩ送信部１９４は、上述したＤＶＤレコーダ１２０のＨＤＭＩ送信部１２９（図５参照）と同様に構成されている。
【０１２７】
ＨＤＭＩ端子１８１の１９ピンはＨＰＤ(Hot Plug Detect)端子になっている（図７参照）。このＨＤＭＩ端子１８１の１９ピンは、プルアップ抵抗１９５を介して＋５Ｖ電源に接続されている。テレビ受信機１８０がＨＤＭＩケーブル２１０を介してＤＶＤレコーダ１２０に接続されるとき、ＤＶＤレコーダ１２０から電源が供給されることから、ＨＤＭＩ端子１８１の１９ピンの電圧が高くなる。ＤＶＤレコーダ１２０の制御部１２２（図２参照）は、ＨＤＭＩ端子１２１の１９ピンの電圧を監視しており、当該１９ピンの電圧が高くなることにより、テレビ受信機１８０の接続を確認する。プルアップ抵抗１９５は、ＤＶＤレコーダ１２０に供給する、接続を示す信号を発生する信号発生部を構成している。
【０１２８】
また、ＨＤＭＩ端子１８１の１９ピンは接続スイッチ１９６を介して接地される。この接続スイッチ１９６は、制御部１８６の制御のもと、後述するように、フラッシュＲＯＭ１８５に記憶されているＥＤＩＤ情報に含まれる受像可能解像度の情報の書き換えが行われるときは一時的にオンとされる。上述したように、テレビ受信機１８０がＨＤＭＩケーブル２１０を介してＤＶＤレコーダ１２０に接続されるとき、ＨＤＭＩ端子１８１の１９ピンの電圧が高くなり、接続を示す信号が発生されている状態に置かれる。しかし、接続スイッチ１９６がオンとされることで、ＨＤＭＩ端子１８１の１９ピンの電圧は低くなり、接続を示す信号の発生が一時的に停止される。
【０１２９】
図９に示すＡＶシステム１００Ｂのシステム構成時の動作例を説明する。
【０１３０】
まず、テレビ受信機１８０のＨＤＭＩ端子１８２〜１８４と、テレビ受信機１６０Ａ〜１６０ＣのＨＤＭＩ端子１６１Ａ〜１６１ＣとがＨＤＭＩケーブル２４０〜２６０により接続される。このとき、ＨＤＭＩケーブル２４０〜２６０のライン８７（図５参照）を通じて、テレビ受信機１８０からテレビ受信機１６０Ａ〜１６０Ｃに電源が供給される。そのため、テレビ受信機１６０Ａ〜１６０ＣのＨＤＭＩ端子１６１Ａ〜１６１Ｃにおける１９ピンの電圧が高くなり、テレビ受信機１８０のＨＤＭＩ端子１８２〜１８４における１９ピンの電圧も高くなる。
【０１３１】
テレビ受信機１８０の制御部１８６は、ＨＤＭＩ端子１８２〜１８４における１９ピンの電圧を監視しており、当該電圧が高くなることで、テレビ受信機１８０にＨＤＭＩケーブル２４０〜２６０を介してテレビ受信機１６０Ａ〜１６０Ｃが接続されたことを認識でき、所定の動作を開始する。
【０１３２】
制御部１８６は、ＨＤＭＩケーブル２４０〜２６０のＤＤＣ８３を用いて、テレビ受信機１６０Ａ〜１６０ＣのフラッシュＲＯＭ１６２Ａ〜１６２Ｃに記憶されているＥＤＩＤ情報を読み出し、テレビ受信機１６０Ａ〜１６０Ｃの設定、性能を認識する。この意味で、制御部１８６は、情報取得部を構成している。また、制御部１８６は、上述したようにテレビ受信機１６０Ａ〜１６０ＣのフラッシュＲＯＭ１６２Ａ〜１６２Ｃから取得したＥＤＩＤ情報に含まれる受像可能解像度の情報に基づいて、以下の第１〜第３のモードのいずれかにより、フラッシュＲＯＭ１８５の受像可能解像度の情報の書き替えを行う。この意味で、制御部１８６は、情報書き替え部を構成している。３つのモードのうちいずれを選択するかは、例えば、ユーザがユーザ操作部１８７を操作して設定できる。
【０１３３】
（ａ）第１のモード
制御部１８６は、フラッシュＲＯＭ１６２Ａ〜１６２Ｃの受像可能解像度の情報で示される解像度のうち、最低解像度を示すように、フラッシュＲＯＭ１８５の受像可能解像度の情報の書き替えを行う。例えば、フラッシュＲＯＭ１６２Ａの受像可能解像度情報で示されるテレビ受信機１６０Ａの受像可能解像度が４８０ｉ、４８０ｐであり、フラッシュＲＯＭ１６２Ｂの受像可能解像度情報で示されるテレビ受信機１６０Ｂの受像可能解像度が４８０ｉ、４８０ｐ、１０８０ｉであり、フラッシュＲＯＭ１６２Ｃの受像可能解像度情報で示されるテレビ受信機１６０Ｃの受像可能解像度が４８０ｉ、４８０ｐ、１０８０ｉ、７２０ｐであるとき、フラッシュＲＯＭ１８５の受像可能解像度の情報は、４８０ｐの解像度を示すように書き替えられる。
【０１３４】
（ｂ）第２のモード
制御部１８６は、フラッシュＲＯＭ１６２Ａ〜１６２Ｃの受像可能解像度の情報で示される解像度のうち、最高解像度を示すように、フラッシュＲＯＭ１８５の受像可能解像度の情報の書き替えを行う。例えば、フラッシュＲＯＭ１６２Ａの受像可能解像度情報で示されるテレビ受信機１６０Ａの受像可能解像度が４８０ｉ、４８０ｐであり、フラッシュＲＯＭ１６２Ｂの受像可能解像度情報で示されるテレビ受信機１６０Ｂの受像可能解像度が４８０ｉ、４８０ｐ、１０８０ｉであり、フラッシュＲＯＭ１６２Ｃの受像可能解像度情報で示されるテレビ受信機１６０Ｃの受像可能解像度が４８０ｉ、４８０ｐ、１０８０ｉ、７２０ｐであるとき、フラッシュＲＯＭ１８５の受像可能解像度の情報は、７２０ｐの解像度を示すように書き替えられる。
【０１３５】
（ｃ）第３のモード
制御部１８６は、フラッシュＲＯＭ１６２Ａ〜１６２Ｃの受像可能解像度の情報で示される解像度のうち、最低解像度と最高解像度との間の解像度（中間解像度）を示すように、フラッシュＲＯＭ１８５の受像可能解像度の情報の書き替えを行う。例えば、フラッシュＲＯＭ１６２Ａの受像可能解像度情報で示されるテレビ受信機１６０Ａの受像可能解像度が４８０ｉ、４８０ｐであり、フラッシュＲＯＭ１６２Ｂの受像可能解像度情報で示されるテレビ受信機１６０Ｂの受像可能解像度が４８０ｉ、４８０ｐ、１０８０ｉであり、フラッシュＲＯＭ１６２Ｃの受像可能解像度情報で示されるテレビ受信機１６０Ｃの受像可能解像度が４８０ｉ、４８０ｐ、１０８０ｉ、７２０ｐであるとき、フラッシュＲＯＭ１８５の受像可能解像度の情報は、４８０ｐの解像度を示すように書き替えられる。なお、フラッシュＲＯＭ１８５の受像可能解像度の書き換えが行われるとき、接続スイッチ１９５は一時的にオンとされる。
【０１３６】
次に、ＤＶＤレコーダ１２０のＨＤＭＩ端子１２１とテレビ受信機１８０のＨＤＭＩ端子１８１とがＨＤＭＩケーブル２１０により接続される。このとき、ＨＤＭＩケーブル２１０のライン８７（図５参照）を通じて、ＤＶＤレコーダ１２０からテレビ受信機１８０に電源が供給される。そのため、テレビ受信機１８０のＨＤＭＩ端子１８１における１９ピンの電圧が高くなり、ＤＶＤレコーダ１２０のＨＤＭＩ端子１２１における１９ピンの電圧も高くなる。
【０１３７】
ＤＶＤレコーダ１２０の制御部１２２は、ＨＤＭＩ端子１２１における１９ピンの電圧を監視しており、当該電圧が高くなることで、ＤＶＤレコーダ１２０にＨＤＭＩケーブル２１０を介してテレビ受信機１８０が接続されたことを認識でき、所定の動作を開始する。
【０１３８】
制御部１２２は、ＨＤＭＩケーブル２１０のＤＤＣ８３を用いて、テレビ受信機１８０のフラッシュＲＯＭ１８５に記憶されているＥＤＩＤ情報を読み出し、テレビ受信機１８０の設定、性能を認識する。上述したように、テレビ受信機１８０のフラッシュＲＯＭ１８５の受像可能解像度の情報は、テレビ受信機１８０に並列的に接続されたテレビ受信機１６０Ａ〜１６０Ｃの受像可能解像度に基づいて、第１〜第３のモードのいずれかにより、書き替えられている。
【０１３９】
したがって、ＤＶＤレコーダ１２０の制御部１２２は、テレビ受信機１８０のフラッシュＲＯＭ１８５から読み出したＥＤＩＤ情報を解析することで、テレビ受信機１６０Ａ〜１６０Ｃの最低受像可能解像度（第１のモード）、最高受像可能解像度（第２のモード）または中間受像可能解像度（第３のモード）を認識する。
【０１４０】
なお、上述の動作は、テレビ受信機１８０にＨＤＭＩケーブル２４０〜２６０を介してテレビ受信機１６０Ａ〜１６０Ｃが接続された後に、ＤＶＤレコーダ１２０にＨＤＭＩケーブル２１０を介してテレビ受信機１８０が接続されたものである。
【０１４１】
しかし、この逆に、ＤＶＤレコーダ１２０にＨＤＭＩケーブル２１０を介してテレビ受信機１８０が接続された後に、テレビ受信機１８０にＨＤＭＩケーブル２４０〜２６０を介してテレビ受信機１６０Ａ〜１６０Ｃが接続されることもある。その場合、ＤＶＤレコーダ１２０の制御部１２２は、ＤＶＤレコーダ１２０にＨＤＭＩケーブル２１０を介してテレビ受信機１８０が接続されるとき、ＨＤＭＩケーブル２１０のＤＤＣ８３を用いて、テレビ受信機１８０のフラッシュＲＯＭ１８５からＥＤＩＤ情報を読み出す。
【０１４２】
さらに、テレビ受信機１８０にＨＤＭＩケーブル２４０〜２６０を介してテレビ受信機１６０Ａ〜１６０Ｃが接続され、テレビ受信機１８０のフラッシュＲＯＭ１８５の受像可能解像度の情報が書き替えられる場合には、接続スイッチ１９６が一時的にオンとされ、ＨＤＭＩ端子１８１の１９ピンの電圧が一時的に低くなる。そのため、ＤＶＤレコーダ１２０の制御部１２２は、テレビ受信機１８０の取り外しおよび再接続を認識し、ＨＤＭＩケーブル２１０のＤＤＣ８３を用いて、テレビ受信機１８０のフラッシュＲＯＭ１８５からＥＤＩＤ情報を再度読み出す。
【０１４３】
そのため、ＤＶＤレコーダ１２０にＨＤＭＩケーブル２１０を介してテレビ受信機１８０が接続された後に、テレビ受信機１８０にＨＤＭＩケーブル２４０〜２６０を介してテレビ受信機１６０Ａ〜１６０Ｃが接続される場合にあっても、ＤＶＤレコーダ１２０の制御部１２２は、テレビ受信機１８０のフラッシュＲＯＭ１８５から読み出したＥＤＩＤ情報を解析することで、テレビ受信機１６０Ａ〜１６０Ｃの最低受像可能解像度（第１のモード）、最高受像可能解像度（第２のモード）または中間受像可能解像度（第３のモード）を認識する。
【０１４４】
次に、図９に示すＡＶシステム１００Ｂのシステム構成後の動作例を説明する。
例えば、ＤＶＤレコーダ１２０（図２参照）の端子１２６に外部装置が接続された状態で、ユーザが、外部装置からのデータを記録するようにＤＶＤレコーダ１２０を操作すると、コーデック１２５により外部装置からの画像と音声のデータがエンコードされ、エンコードデータは記録再生部１２７によりＤＶＤ１２８に記録される。
【０１４５】
また、ユーザが、ＤＶＤ１２８に記録されているデータを送信するようにＤＶＤレコーダ１２０を操作すると、記録再生部１２７により、ＤＶＤ１２８からエンコードデータが再生され、コーデック１２５に供給される。コーデック１２５では、記録再生部１２７で再生されたエンコードデータが、ベースバンドの画像と音声のデータにデコードされ、そのベースバンドの画像と音声のデータは、ＨＤＭＩ送信部１２９に供給される。
【０１４６】
ＨＤＭＩ送信部１２９では、コーデック１２５から供給される画像データの解像度が、上述したように、ＤＶＤレコーダ１２０の制御部１２２で認識した、テレビ受信機１６０Ａ〜１６０Ｃの最低受像可能解像度（第１のモード）、最高受像可能解像度（第２のモード）または中間受像可能解像度（第３のモード）に合わせられる。
【０１４７】
そして、ＨＤＭＩ送信部１２９では、ＨＤＭＩに準拠した通信により、テレビ受信機１６０Ａ〜１６０Ｃの最低受像可能解像度（第１のモード）、最高受像可能解像度（第２のモード）または中間受像可能解像度（第３のモード）に合わせられた画像データと、コーデック１２５から供給されるベースバンドの音声データとが、ＨＤＭＩケーブル２１０を介して、テレビ受信機１８０に、一方向に、送信される。
【０１４８】
テレビ受信機１８０（図１０参照）では、ＨＤＭＩ受信部１８８で、ＨＤＭＩに準拠した通信により、ＤＶＤレコーダ１２０のＨＤＭＩ送信部１２９からＨＤＭＩケーブル２１０を介して一方向に送信されてくるベースバンドの画像と音声のデータが受信される。ＨＤＭＩ受信部１８８で受信された画像データは切り替え器１９１に供給され、また、ＨＤＭＩ受信部１８８で受信された音声データは、図示しない音声データ用の切り替え器に供給される。
【０１４９】
また、チューナ１８９で受信された画像データは切り替え器１９１に供給される。また、チューナ１８９で受信された音声データは、図示しない音声データ用の切り替え器に供給される。ユーザがユーザ操作部１８７でＨＤＭＩ受信部１８８を選択する操作を行うとき、切り替え器１９１ではＨＤＭＩ受信部１８８で受信された画像データが取り出される。この画像データの解像度が、テレビ受信機１８０の受像可能解像度に含まれるとき、当該テレビ受信機１８０において受像が可能となる。一方、ユーザがユーザ操作部１８７でチューナ１８９を選択する操作を行うとき、切り替え器１９１ではチューナ１８９で受信された画像データが取り出される。なお、図示しない音声データ用の切り替え器では、切り替え器１９１で取り出される画像データに対応した音声データが取り出される。
【０１５０】
切り替え器１９１で取り出された画像データは、表示処理部１９２に供給される。この表示処理部１９２では、制御部１８６の制御のもと、画像データに対して、色調整、輪郭強調、グラフィックスデータの重畳等の処理が行われる。また、この表示処理部１９２では、必要に応じて、スケーリングの処理も行われる。例えば、切り替え器１９１においてＨＤＭＩ受信部１８８で受信された画像データが取り出され、この画像データの解像度が４８０ｐであるのに対して、テレビ受信機１４０の受像可能解像度に４８０ｐより大きな解像度が含まれるとき、表示処理部１９２では、ユーザの画像拡大の指示に基づいて、拡大スケーリングの処理が行われる。表示パネル１９３には、表示処理部１９２から供給される画像データによる画像が表示される。
【０１５１】
なお、音声データ用の切り替え器で取り出される音声データはアナログ信号に変換された後図示しないスピーカに供給され、表示パネル１９３に表示された画像に対応した音声が出力される。
【０１５２】
また、ＨＤＭＩ受信部１８８で受信されたベースバンドの画像と音声のデータは、ＨＤＭＩ送信部１９４に供給される。ＨＤＭＩ送信部１９４では、ＨＤＭＩに準拠した通信により、ベースバンドの画像と音声のデータが、ＨＤＭＩケーブル２４０〜２６０を介して、テレビ受信機１６０Ａ〜１６０Ｃに、一方向に、送信される。
【０１５３】
テレビ受信機１６０Ａ〜１６０Ｃ（図４参照）では、ＨＤＭＩ受信部１６５で、ＨＤＭＩに準拠した通信により、テレビ受信機１８０のＨＤＭＩ送信部１９４からＨＤＭＩケーブル２４０〜２６０を介して一方向に送信されてくるベースバンドの画像と音声のデータが受信される。ＨＤＭＩ受信部１６５で受信された画像データは切り替え器１６８に供給され、また、ＨＤＭＩ受信部１６５で受信された音声データを、図示しない音声データ用の切り替え器に供給される。
【０１５４】
また、チューナ１６６で受信された画像データは切り替え器１６８に供給される。また、チューナ１６６で受信された音声データは、図示しない音声データ用の切り替え器に供給される。ユーザがユーザ操作部１６４でＨＤＭＩ受信部１６５を選択する操作を行うとき、切り替え器１６８ではＨＤＭＩ受信部１６５で受信された画像データが取り出される。この画像データの解像度がテレビ受信機１６０Ａ〜１６０Ｃの受像可能解像度に含まれているとき、当該テレビ受信機１６０Ａ〜１６０Ｃにおいて受像が可能である。一方、ユーザがユーザ操作部１６４でチューナ１６６を選択する操作を行うとき、切り替え器１６８ではチューナ１６６で受信された画像データが取り出される。なお、図示しない音声データ用の切り替え器では、切り替え器１６８で取り出される画像データに対応した音声データが取り出される。
【０１５５】
切り替え器１６８で取り出された画像データは、表示処理部１６９に供給される。この表示処理部１６９では、制御部１６３の制御のもと、画像データに対して、色調整、輪郭強調、グラフィックスデータの重畳等の処理が行われる。また、この表示処理部１６９では、上述したテレビ受信機１８０の表示処理部１９２と同様に、必要に応じて、スケーリングの処理も行われる。
【０１５６】
表示パネル１７０には、表示処理部１６９から供給される画像データによる画像が表示される。なお、音声データ用の切り替え器で取り出される音声データはアナログ信号に変換された後図示しないスピーカに供給され、表示パネル１７０に表示された画像に対応した音声が出力される。
【０１５７】
以上説明したように、図９に示すＡＶシステム１００Ｂにおいては、システム構成時に、テレビ受信機１８０のフラッシュＲＯＭ１８５の受像可能解像度の情報が、テレビ受信機１６０Ａ〜１６０Ｃの最低受像可能解像度（第１のモード）、最高受像可能解像度（第２のモード）または中間受像可能解像度（第３のモード）を示すように書き替えられる。そして、ＤＶＤレコーダ１２０の制御部１２２では、テレビ受信機１８０のフラッシュＲＯＭ１８５から読み出したＥＤＩＤ情報が解析されて、テレビ受信機１６０Ａ〜１６０Ｃの最低受像可能解像度（第１のモード）、最高受像可能解像度（第２のモード）または中間受像可能解像度（第３のモード）が認識される。
【０１５８】
そのため、図９に示すＡＶシステム１００Ｂにおいては、システム構成後に、ＤＶＤレコーダ１２０からテレビ受信機１８０，１６０Ａ〜１６０Ｃに送信される画像データの解像度は、テレビ受信機１６０Ａ〜１６０Ｃの最低受像可能解像度（第１のモード）、最高受像可能解像度（第２のモード）または中間受像可能解像度（第３のモード）に合わせられる。
【０１５９】
したがって、テレビ受信機１６０Ａ〜１６０Ｃにおいては、送信されてくる画像データの解像度が、自己の受像可能解像度に含まれるとき、当該画像データによる受像が可能となる。例えば、ＤＶＤレコーダ１２０からテレビ受信機１８０，１６０Ａ〜１６０Ｃに送信される画像データの解像度がテレビ受信機１６０Ａ〜１６０Ｃの最低受像可能解像度（第１のモード）であるときは、テレビ受信機１６０Ａ〜１６０Ｃのいずれにおいても、ＤＶＤレコーダ１２０から送られてくる画像データによる受像が可能となる。
【０１６０】
また、図９に示すＡＶシステム１００Ｂのテレビ受信機１８０においては、システム構成時に、フラッシュＲＯＭ１８５の受像可能解像度の情報が書き替えられるとき、接続スイッチ１９６は一時的にオンとされる。そのため、ＤＶＤレコーダ１２０にＨＤＭＩケーブル２１０を介してテレビ受信機１８０が接続された後に、テレビ受信機１８０にＨＤＭＩケーブル２４０〜２６０を介してテレビ受信機１６０Ａ〜１６０Ｃが接続される場合にあっても、テレビ受信機１８０のフラッシュＲＯＭ１８５の受像可能解像度の情報の書き替えがあるとき、ＤＶＤレコーダ１２０の制御部１２２は、ＨＤＭＩ端子１８１の１９ピンの電圧が一時的に低くなることから、テレビ受信機１８０の取り外しおよび再接続を認識し、テレビ受信機１８０のフラッシュＲＯＭ１８５からＥＤＩＤ情報を再度読み出す。
【０１６１】
したがって、ＤＶＤレコーダ１２０にＨＤＭＩケーブル２１０を介してテレビ受信機１８０が接続された後に、テレビ受信機１８０にＨＤＭＩケーブル２４０〜２６０を介してテレビ受信機１６０Ａ〜１６０Ｃが接続される場合にあっても、ＤＶＤレコーダ１２０の制御部１２２は、テレビ受信機１８０のフラッシュＲＯＭ１８５から読み出したＥＤＩＤ情報を解析することで、テレビ受信機１６０Ａ〜１６０Ｃの最低受像可能解像度（第１のモード）、最高受像可能解像度（第２のモード）または中間受像可能解像度（第３のモード）を認識できる。
【０１６２】
なお、上述したようにシステム構成時にテレビ受信機１８０のフラッシュＲＯＭ１８５の受像可能解像度の情報は、テレビ受信機１６０Ａ〜１６０Ｃの受像可能解像度の情報に基づいて書き替えられる。その場合、テレビ受信機１８０に対するテレビ受信機１６０Ａ〜１６０Ｃの接続が外されてシステムが解除されるとき、フラッシュＲＯＭ１８５の受像可能解像度の情報は、当該テレビ受信機１８０の受像可能解像度を示す元の状態に戻される。
【０１６３】
また、上述したようにシステム構成時にテレビ受信機１８０のフラッシュＲＯＭ１８５の受像可能解像度の情報は、テレビ受信機１６０Ａ〜１６０Ｃの最低受像可能解像度（第１のモード）、最高受像可能解像度（第２のモード）または中間受像可能解像度（第３のモード）を示すように書き替えられるが、さらに、テレビ受信機１８０の受像可能解像度の情報を含めて書き替えを行うことも考えられる。
【０１６４】
なお、上述実施の形態においては、電子機器間の通信インタフェースとしてＨＤＭＩを用いたものを示したが、ＨＤＭＩ以外の通信インタフェースを用いるものにも、この発明を同様に適用できる。また、上述実施の形態においては、電子機器間をＨＤＭＩケーブルで接続したものを示したが、電子機器間の接続を無線で行うものにも、この発明を同様に適用できる。
【産業上の利用可能性】
【０１６５】
この発明は、前段の電子機器に後段側の電子機器の受像可能解像度を考慮した受像可能解像度情報を供給し、後段側の電子機器における画像表示が良好に行われるようにするものであり、例えば、ＨＤＭＩのリピータ機能を有するテレビ受信機等に適用できる。
【図面の簡単な説明】
【０１６６】
【図１】この発明の実施の形態としてのＡＶシステムの構成例を示すブロック図である。
【図２】ＡＶシステムを構成するＤＶＤレコーダ（ソース機器）の構成例を示すブロック図である。
【図３】ＡＶシステムを構成するテレビ受信機（リピータ機器）の構成例を示すブロック図である。
【図４】ＡＶシステムを構成するテレビ受信機（シンク機器）の構成例を示すブロック図である。
【図５】ＨＤＭＩ送信部（ＨＤＭＩソース）とＨＤＭＩ受信部（ＨＤＭＩシンク）の構成例を示すブロック図である。
【図６】ＴＭＤＳ伝送データの構造を示す図である。
【図７】ＨＤＭＩ端子のピン配列（タイプＡ）を示す図である。
【図８】この発明の他の実施の形態としてのＡＶシステムの構成例を示すブロック図である。
【図９】この発明のさらに他の実施の形態としてのＡＶシステムの構成例を示すブロック図である。
【図１０】ＡＶシステムを構成するテレビ受信機（リピータ機器）の構成例を示すブロック図である。
【符号の説明】
【０１６７】
１００，１００Ａ，１００Ｂ・・・ＡＶシステム、１２０・・・ＤＶＤレコーダ、１２１・・・ＨＤＭＩ端子、１２２・・・制御部、１２３・・・ユーザ操作部、１２４・・・表示部、１２５・・・コーデック、１２６・・・外部装置を接続するための端子、１２７・・・記録再生部、１２８・・・ＤＶＤ、１２９・・・ＨＤＭＩ送信部（ＨＤＭＩソース）、１４０，１４０Ａ・・・テレビ受信機、１４１，１４１Ａ，１４２，１４２Ａ・・・ＨＤＭＩ端子、１４３，１４３Ａ・・・フラッシュＲＯＭ、１４４・・・制御部、１４５・・・ユーザ操作部、１４６・・・ＨＤＭＩ受信部（ＨＤＭＩシンク）、１４７・・・チューナ、１４８・・・アンテナ端子、１４９・・・切り替え器、１５０・・・表示処理部、１５１・・・表示パネル、１５２・・・ＨＤＭＩ送信部（ＨＤＭＩソース）、１５３・・・プルアップ抵抗、１５４・・・接続スイッチ、１６０，１６０Ａ〜１６０Ｃ・・・テレビ受信機、１６１，１６１Ａ〜１６１Ｃ・・・ＨＤＭＩ端子、１６２，１６２Ａ〜１６２Ｃ・・・フラッシュＲＯＭ、１６３・・・制御部、１６４・・・ユーザ操作部、１６５・・・ＨＤＭＩ受信部（ＨＤＭＩシンク）、１６６・・・チューナ、１６７・・・アンテナ端子、１６８・・・切り替え器、１６９・・・表示処理部、１７０・・・表示パネル、１７１・・・プルアップ抵抗、１８０・・・テレビ受信機、１８１〜１８４・・・ＨＤＭＩ端子、１８５・・・フラッシュＲＯＭ、１８６・・・制御部、１８７・・・ユーザ操作部、１８８・・・ＨＤＭＩ受信部（ＨＤＭＩシンク）、１８９・・・チューナ、１９０・・・アンテナ端子、１９１・・・切り替え器、１９２・・・表示処理部、１９３・・・表示パネル、１９４・・・ＨＤＭＩ送信部（ＨＤＭＩソース）、１９５・・・プルアップ抵抗、１９６・・・接続スイッチ、２１０〜２６０・・・ＨＤＭＩケーブル
【図１】
2009055149.tif 000003
【図２】
2009055149.tif 000004
【図３】
2009055149.tif 000005
【図４】
2009055149.tif 000006
【図５】
2009055149.tif 000007
【図６】
2009055149.tif 000008
【図７】
2009055149.tif 000009
【図８】
2009055149.tif 000010
【図９】
2009055149.tif 000011
【図１０】
2009055149.tif 000012